(57)【要約】【課題】唾液保存キットにおける保存液と唾液が混ざる時や混ざった後の容器の気密性を確保する。【解決手段】唾液保存キット１は、圧壊部材３２が唾液採取用容器１０により押されて蓋体３１側に移動したときに、押圧部６０が蓋体３１を押圧して圧壊する前に封止部６１が蓋体３１の外周面と保存液収容容器１２の内周面との間の隙間Ｂに入り込んで圧壊部材３２の外周面と保存液収容容器１２の内周面との間を封止するように構成されている。【選択図】図１２
2017194324.tif 000002
【特許請求の範囲】
【請求項１】
唾液保存キットであって、
上面に開口を備えた唾液採取用容器と、下面に開口を備えた保存液収容容器と、を有し、前記唾液採取用容器の上面開口のある上部を前記保存液収容容器の内部に下面開口から嵌め込むことができ、
前記保存液収容容器には、蓋により開閉する上面と封鎖された封鎖底面を有する保存液収容室が形成され、その保存液収容室の下側には、前記唾液採取用容器による下からの押圧により前記封鎖底面側に移動可能で、前記封鎖底面を圧壊して前記保存液収容室から保存液を流出させるための圧壊部材と、が設けられ、
前記圧壊部材は、前記封鎖底面側に突出し前記封鎖底面を押圧するための押圧部と、前記押圧部の周囲に配置され、前記封鎖底面側に突出する環状の封止部と、前記保存液収容室から流出した保存液を前記唾液採取用容器側に通す通液口と、を有し、
前記封鎖底面の外周には、前記封止部が入り込む凹条部が設けられ、
前記圧壊部材が前記唾液採取用容器により押されて前記封鎖底面側に移動したときに、前記押圧部が前記封鎖底面を押圧して圧壊する前に前記封止部が前記凹条部に入り込んで前記圧壊部材の外周面と前記保存液収容容器の内周面との間を封止するように構成された、唾液保存キット。
【請求項２】
唾液保存キットであって、
上面に開口を備えた唾液採取用容器と、下面に開口を備えた保存液収容容器と、を有し、前記唾液採取用容器の上面開口のある上部を前記保存液収容容器の内部に下面開口から嵌め込むことができ、
前記保存液収容容器の内部には、その上部に下面に流出口を有する保存液収容室が形成され、その保存液収容室の下側には、前記流出口を封止する蓋体と、前記唾液採取用容器による下からの押圧により前記蓋体側に移動可能で、前記蓋体を圧壊して前記流出口から前記保存液を流出させるための圧壊部材と、が設けられ、
前記圧壊部材は、前記蓋体側に突出し前記蓋体を押圧するための押圧部と、前記押圧部の周囲に配置され、前記保存液収容容器の内周面に沿って前記蓋体側に突出する環状の封止部と、前記流出口から流出した保存液を前記唾液採取用容器側に通す通液口と、を有し、
前記蓋体の外周面と前記保存液収容容器の内周面との間に隙間が設けられ、
前記圧壊部材が前記唾液採取用容器により押されて前記蓋体側に移動したときに、前記押圧部が前記蓋体を押圧して圧壊する前に前記封止部が前記蓋体の外周面と前記保存液収容容器の内周面との間の前記隙間に入り込んで前記圧壊部材の外周面と前記保存液収容容器の内周面との間を封止するように構成された、唾液保存キット。
【請求項３】
前記蓋体は、前記保存液収容室の流出口よりも径の大きな環状のフランジ部を有し、前記保存液収容容器の内部に形成された、前記流出口よりも径の大きい段部にはめ込まれており、
前記フランジ部が、前記段部に対し環状に超音波溶着されている、請求項２に記載の唾液保存キット。
【請求項４】
前記蓋体における前記押圧部が押圧する面には、環状の切欠きが形成されている、請求項２又は３に記載の唾液保存キット。
【請求項５】
前記封止部は、前記押圧部の先端よりも前記保存液収容室側に突出している、請求項１〜４のいずれかに記載の唾液保存キット。
【請求項６】
前記押圧部は、複数のピンからなり、
前記通液口は、前記保存液収容室側の開口面に、当該保存液収容室側に向けて次第に径が大きくなるテーパ面を有し、前記ピンは前記テーパ面に立設されている、請求項１〜５のいずれかに記載の唾液保存キット。
【請求項７】
前記押圧部が前記保存液収容室を圧壊する位置で、前記圧壊部材を前記保存液収容容器に対し係止する係止機構を、さらに有する、請求項１〜６のいずれかに記載の唾液保存キット。
【請求項８】
前記圧壊部材が前記保存液収容室側に移動する前の位置で、前記圧壊部材を前記保存液収容容器に対し係止する係止機構を、さらに有する、請求項１〜７のいずれかに記載の唾液保存キット。
【請求項９】
前記圧壊部材は、前記唾液採取用容器の上部が前記保存液収容容器の内部に嵌め込まれた際に前記唾液採取用容器の上端部が当接する当接部を有し、
前記圧壊部材は、前記唾液採取用容器の上端部が前記当接部に当接した状態で前記唾液採取用容器の内部にさらに奥に嵌め込まれることにより前記保存液収容室側に移動するように構成されている、請求項１〜８のいずれかに記載の唾液保存キット。
【請求項１０】
前記圧壊部材の下側の外周面と前記保存液収容容器の内周面との間に、前記唾液採取用容器の上端部が嵌め込まれる隙間が形成されており、当該隙間の底に前記当接部が形成されている、請求項９に記載の唾液保存キット。
【請求項１１】
前記唾液採取用容器の上部に脱着自在な漏斗をさらに有する、請求項１〜１０のいずれかに記載の唾液保存キット。
【請求項１２】
前記保存液収容容器の外周面には、外側に突出する突出部が形成されている、請求項１〜１１のいずれかに記載の唾液保存キット。
【発明の詳細な説明】
【技術分野】
【０００１】
本発明は、唾液保存キットに関する。
【背景技術】
【０００２】
近年、例えば病気や体質の遺伝的傾向を調べるためのＤＮＡ検査が行われている。このＤＮＡ検査には、被検者の唾液を採取して行う方法があり、この方法は、例えば被検者が唾液保存キットを購入し、その唾液保存キットに唾液を採取して保存し、それをＤＮＡの検査機関に送ることで行われている。
【０００３】
上述のような唾液保存キットの機能を備えた器具には、例えば保存液を収容する内部チャンバーを有する蓋と、サンプル体液を収容する管を有し、サンプル体液を収容した管に蓋を嵌め込むと、蓋内の内部チャンバーが開放され、内部チャンバーの保存液が管のサンプル体液に混ざる体液サンプル収集デバイスがある（特許文献１参照）
【先行技術文献】
【特許文献】
【０００４】
【特許文献１】特開２０１４−５２７６１５号公報
【発明の概要】
【発明が解決しようとする課題】
【０００５】
しかしながら、上述のような体液サンプル収集デバイスでは、保存液が体液と混ざる時や混ざった後の容器の気密性は、蓋と管のかみ合わせ機構にのみ頼るものであるため、十分に確保されない恐れがある。
【０００６】
保存液と体液の混合時や混合後の容器の気密性が十分でないと、保存液が容器から漏れたり揮発してＤＮＡ検査を行うまでに保存液が減ったり無くなったりすることがあり、この場合、唾液が適切に保存されずＤＮＡ検査を適正に行うことができなくなる。
【０００７】
本出願はかかる点に鑑みてなされたものであり、保存液と唾液が混ざる時や混ざった後の容器の気密性を十分に確保できる唾液保存キットを提供することをその目的の一つとする。
【課題を解決するための手段】
【０００８】
本発明者らは、鋭意検討した結果、唾液保存キットにおいて、保存液収容容器に、保存液収容室の封鎖底面を圧壊する圧壊部材を設け、前記圧壊部材が唾液採取用容器により押されて封鎖底面側に移動したときに、前記圧壊部材が前記封鎖底面を押圧して圧壊する前に封止部が前記封鎖底面の凹条部に入り込んで前記圧壊部材の外周面と前記保存液収容容器の内周面との間を封止する構成、或いは、唾液保存キットにおいて、保存液収容容器の内部に、保存液収容室を封止する蓋体とその蓋体を圧壊する圧壊部材を設け、前記圧壊部材が唾液採取用容器により押されて蓋体側に移動したときに、前記圧壊部材が前記蓋体を押圧して圧壊する前に封止部が前記蓋体の外周面と前記保存液収容容器の内周面との間の隙間に入り込んで前記圧壊部材の外周面と前記保存液収容容器の内周面との間を封止する構成を採用することにより、上記問題を解決できることを見出し、本発明を完成するに至った。
【０００９】
すなわち、本発明は以下の態様を含む。
（１）唾液保存キットであって、上面に開口を備えた唾液採取用容器と、下面に開口を備えた保存液収容容器と、を有し、前記唾液採取用容器の上面開口のある上部を前記保存液収容容器の内部に下面開口から嵌め込むことができ、前記保存液収容容器には、蓋により開閉する上面と封鎖された封鎖底面を有する保存液収容室が形成され、その保存液収容室の下側には、前記唾液採取用容器による下からの押圧により前記封鎖底面側に移動可能で、前記封鎖底面を圧壊して前記保存液収容室から保存液を流出させるための圧壊部材と、が設けられ、前記圧壊部材は、前記封鎖底面側に突出し前記封鎖底面を押圧するための押圧部と、前記押圧部の周囲に配置され、前記封鎖底面側に突出する環状の封止部と、前記保存液収容室から流出した保存液を前記唾液採取用容器側に通す通液口と、を有し、前記封鎖底面の外周には、前記封止部が入り込む凹条部が設けられ、前記圧壊部材が前記唾液採取用容器により押されて前記封鎖底面側に移動したときに、前記押圧部が前記封鎖底面を押圧して圧壊する前に前記封止部が前記凹条部に入り込んで前記圧壊部材の外周面と前記保存液収容容器の内周面との間を封止するように構成された、唾液保存キット。
（２）唾液保存キットであって、上面に開口を備えた唾液採取用容器と、下面に開口を備えた保存液収容容器と、を有し、前記唾液採取用容器の上面開口のある上部を前記保存液収容容器の内部に下面開口から嵌め込むことができ、前記保存液収容容器の内部には、その上部に下面に流出口を有する保存液収容室が形成され、その保存液収容室の下側には、前記流出口を封止する蓋体と、前記唾液採取用容器による下からの押圧により前記蓋体側に移動可能で、前記蓋体を圧壊して前記流出口から前記保存液を流出させるための圧壊部材と、が設けられ、前記圧壊部材は、前記蓋体側に突出し前記蓋体を押圧するための押圧部と、前記押圧部の周囲に配置され、前記保存液収容容器の内周面に沿って前記蓋体側に突出する環状の封止部と、前記流出口から流出した保存液を前記唾液採取用容器側に通す通液口と、を有し、前記蓋体の外周面と前記保存液収容容器の内周面との間に隙間が設けられ、前記圧壊部材が前記唾液採取用容器により押されて前記蓋体側に移動したときに、前記押圧部が前記蓋体を押圧して圧壊する前に前記封止部が前記蓋体の外周面と前記保存液収容容器の内周面との間の前記隙間に入り込んで前記圧壊部材の外周面と前記保存液収容容器の内周面との間を封止するように構成された、唾液保存キット。
（３）前記蓋体は、前記保存液収容室の流出口よりも径の大きな環状のフランジ部を有し、前記保存液収容容器の内部に形成された、前記流出口よりも径の大きい段部にはめ込まれており、前記フランジ部が、前記段部に対し環状に超音波溶着されている、（２）に記載の唾液保存キット。
（４）前記蓋体における前記押圧部が押圧する面には、環状の切欠きが形成されている、（２）又は（３）に記載の唾液保存キット。
（５）前記封止部は、前記押圧部の先端よりも前記保存液収容室側に突出している、（１）〜（４）のいずれかに記載の唾液保存キット。
（６）前記押圧部は、複数のピンからなり、前記通液口は、前記保存液収容室側の開口面に、当該保存液収容室側に向けて次第に径が大きくなるテーパ面を有し、前記ピンは前記テーパ面に立設されている、（１）〜（５）のいずれかに記載の唾液保存キット。
（７）前記押圧部が前記保存液収容室を圧壊する位置で、前記圧壊部材を前記保存液収容容器に対し係止する係止機構を、さらに有する、（１）〜（６）のいずれかに記載の唾液保存キット。
（８）前記圧壊部材が前記保存液収容室側に移動する前の位置で、前記圧壊部材を前記保存液収容容器に対し係止する係止機構を、さらに有する、（１）〜（７）のいずれかに記載の唾液保存キット。
（９）前記圧壊部材は、前記唾液採取用容器の上部が前記保存液収容容器の内部に嵌め込まれた際に前記唾液採取用容器の上端部が当接する当接部を有し、前記圧壊部材は、前記唾液採取用容器の上端部が前記当接部に当接した状態で前記唾液採取用容器の内部にさらに奥に嵌め込まれることにより前記保存液収容室側に移動するように構成されている、（１）〜（８）のいずれかに記載の唾液保存キット。
（１０）前記圧壊部材の下側の外周面と前記保存液収容容器の内周面との間に、前記唾液採取用容器の上端部が嵌め込まれる隙間が形成されており、当該隙間の底に前記当接部が形成されている、（９）に記載の唾液保存キット。
（１１）前記唾液採取用容器の上部に脱着自在な漏斗をさらに有する、（１）〜（１０）のいずれかに記載の唾液保存キット。
（１２）前記保存液収容容器の外周面には、外側に突出する突出部が形成されている、（１）〜（１１）のいずれかに記載の唾液保存キット。
【発明の効果】
【００１０】
本発明によれば、保存液と唾液が混ざる時や混ざった後の容器の気密性を十分に確保できるので、保存液の漏れや揮発が抑制され、唾液を用いた検査を適正に行うことができる。
【図面の簡単な説明】
【００１１】
【図１】第１の実施の形態における唾液保存キットの一例を示す斜視図である。
【図２】唾液採取用容器の断面図である。
【図３】漏斗を取り付けた唾液採取用容器の断面図である。
【図４】保存液収容容器の分解図である。
【図５】保存液収容容器の断面図である。
【図６】蓋体の平面図である。
【図７】圧壊部材の平面図である。
【図８】保存液収容容器を唾液採取用容器に取り付けるときの斜視図である。
【図９】唾液採取用容器の上端部が圧壊部材の当接部に当接した状態を示す説明図である。
【図１０】圧壊部材の封止部が隙間に入り込んだ状態を示す説明図である。
【図１１】圧壊部材が蓋体を圧壊した状態を示す説明図である。
【図１２】保存液が唾液採取用容器に落下した状態を示す説明図である。
【図１３】保存液収容容器の他の外周形状を示す説明図である。
【図１４】第２の実施の形態における保存液収容容器を唾液採取用容器に取り付けるときの斜視図である。
【図１５】保存液収容容器の断面図である。
【図１６】圧壊部材の封止部が凸条部に入り込んだ状態を示す説明図である。
【図１７】圧壊部材が封鎖底面を圧壊した状態を示す説明図である。
【発明を実施するための形態】
【００１２】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１３】
＜第１の実施の形態＞
図１に本実施の形態にかかる唾液保存キット１の一例を示す。例えば唾液保存キット１は、唾液を採取するときに使用する唾液採取用容器１０と、漏斗１１と、唾液の保存液を収容した保存液収容容器１２を有している。唾液採取用容器１０、漏斗１１及び保存液収容容器１２は、例えばポリプロピレン系樹脂により成型されている。
【００１４】
図２には、漏斗１１を外した状態の唾液採取用容器１０の断面図を示す。唾液採取用容器１０は、上面に開口１０ａを有する円筒状に形成されている。唾液採取用容器１０は、上部に唾液収容室２０を有し、下部が手持ち部２１となっている。唾液採取用容器１０の上部外周面には、保存液収容容器１２に嵌め込むためのネジ部２２が形成されている。
【００１５】
図３に示すように漏斗１１は、唾液採取用容器１０の上部の開口１０ａに取り付けられている。漏斗１１の下部の外周面には、唾液採取用容器１０の上部に外側から嵌め込んで係止する係止部１１ａが形成されている。漏斗１１は、上方に引っ張ることにより唾液採取用容器１０から取り外すことができる。
【００１６】
図４及び図５に示すように保存液収容容器１２は、上面が閉鎖され下面に開口１２ａを有する円筒状に形成されている。保存液収容容器１２は、例えば本体部３０と、蓋体３１と、圧壊部材３２を備えている。
【００１７】
図５に示すように本体部３０の内部の上部には、下面に流出口４０を有する保存液収容室４１が形成されている。この保存液収容室４１には、唾液と混合して混合液を保存するための保存液Ａが充填されている。本体部３０の内部の下部は、保存液収容室４１の径よりも大きく唾液採取用容器１０の外径と同程度の径を有している。本体部３０の上部と下部の間、すなわち保存液収容室４１の直下には、蓋体３１が取り付けられる段部４２が形成されている。
【００１８】
本体部３０の下部の内周面には、唾液採取容器１０のネジ部２２と噛み合うネジ部４３が形成されている。また、本体部３０の下部の内周面には、後述の圧壊部材３２の凸部９０が嵌め込まれる環状の第１の凹部４４と第２の凹部４５が形成されている。
【００１９】
蓋体３１は、図４及び図５に示すように円盤状に形成され、流出口４０を封止している。蓋体３１は、図５に示すように外周に環状のフランジ部５０を有し、フランジ部５０の下部に、フランジ部５０の外径よりも径が小さい円筒部５１を有し、その円筒部５１の下面に圧壊面５２を有している。
【００２０】
フランジ部５０は、流出口４０よりも大きく本体部３０の下部の内径と同じ径を有し、段部４２の水平面４２ａに超音波溶着されている。圧壊面５２は、１ｍｍ〜２ｍｍ程度の厚みに形成されており、後述の圧壊部材３２の押圧部６０の押圧により簡単に圧壊される。圧壊面５２の上面の外周部には、図６に示すように円状の切欠き５３が形成されており、圧壊面５２は、この切欠き５３を起点に圧壊される。切欠き５３の部分の圧壊面５２の厚みは、０．０３ｍｍ〜０．１ｍｍ程度に設定されている。
【００２１】
図５に示すように円筒部５１は、外径がフランジ部５０の外径よりも小さく形成され、円筒部５１が上下に所定の長さに延設されることで、蓋体３１の外周面と本体部３０の内周面との間に環状の隙間Ｂが形成されている。隙間Ｂは、例えば１ｍｍ程度の径方向の厚みと、３ｍｍ程度の高さを有している。
【００２２】
図４及び図５に示すように圧壊部材３２は、本体部３０の下部の内径とほぼ同じ外径を有する円筒状に形成されている。圧壊部材３２は、蓋体３１より下方の蓋体３１に接触しない位置（初期位置）に設けられており、本体部３０内を蓋体３１側に移動可能である。圧壊部材３２は、例えば図４及び図５に示すように蓋体３１側に突出し蓋体３１を押圧するための押圧部６０と、押圧部６０の周囲に配置され、本体部３０の内周面に沿って蓋体３１側に突出する環状の封止部６１と、流出口４０から流出した保存液Ａを唾液採取用容器１０側（下方）に通す通液口６２とを有している。
【００２３】
押圧部６０は、複数本、例えば３本のピン７０を有している。封止部６１は、図５に示すように隙間Ｂに気密に嵌め込み可能な程度の厚み、すなわち隙間Ｂよりもわずかに大きい厚みを有している。封止部６１は、押圧部６０よりも蓋体３１側に突出している。これにより、圧壊部材３２が唾液採取用容器１０により押されて蓋体３１側に移動したときに、封止部６１は、押圧部６０が蓋体３１の圧壊面５２に到達するよりも先に隙間Ｂに到達でき、押圧部６０が蓋体３１を押圧して圧壊する前に封止部６１が隙間Ｂに入り込んで圧壊部材３２の外周面と本体部３０の内周面との間を封止できる。また、このとき圧壊部材３０と蓋体３１の外周面との間も封止できる。
【００２４】
通液口６２は、圧壊部材３２の中央に形成されている。通液口６２は、蓋体３１側の上部開口に当該蓋体３１側に向けて次第に径が大きくなるテーパ面７１を有している。このテーパ面７１には、図７に示すように押圧部６０のピン７０が同一円周上に等間隔で立設されている。
【００２５】
図５に示すように圧壊部材３２の下部は、他の部分よりも外径が小さく形成されている。これにより、圧壊部材３２の下部の外周面と本体部３０の内周面との間に隙間Ｃが形成されている。この隙間Ｃには、唾液採取用容器１０の上部が気密に差し込まれる。圧壊部材３０の外径の大きい上部と外径の小さい下部との間には、段部８０が形成され、この段部８０が、唾液採取用容器１０の上部が本体部３０の内部に嵌め込まれた際に当接する当接部になっている。つまり、隙間Ｃの底部が当接部８０になっている。
【００２６】
圧壊部材３２は、当接した唾液採取用容器１０の上部をさらに奥に嵌め込むことにより蓋体３１側に押されて移動できる。圧壊部材３２は、唾液採取用容器１０の押圧により蓋体３１側に移動しピン７０が蓋体３１の圧壊面５２を圧壊することにより保存液Ａを流出口４０から流出させることができる。
【００２７】
圧壊部材３２の外周面には、本体部３０の下部の内周面に形成された第１の凹部４４と第２の凹部４５に係止自在な環状の凸部９０が形成されている。第１の凹部４４に凸部９０が係止されているときに、圧壊部材３２を初期位置に係止でき、第２の凹部４５に凸部９０が係止されているときに、圧壊部材３２を、押圧部６０が蓋体３１を圧壊するときの位置（圧壊位置）に係止できる。
【００２８】
次に以上のように構成された唾液保存キット１を用いた唾液保存プロセスについて説明する。
【００２９】
先ず、図１及び図３に示した唾液採取用容器１０に取り付けられた漏斗１１から被検者の唾液を唾液採取用容器１０に採取する。次に漏斗１１に代えて図８に示すように保存液収容容器１２を唾液採取用容器１０に取り付ける。
【００３０】
このとき、図５に示す保存液収容容器１２の本体部３０の下面１２ａから唾液採取用容器１０の上部を差し込みネジ部４３とネジ部２２をかみ合わせ、保存液収容容器１２を唾液採取用容器１０に対し回転させて、保存液収容容器１２の内部に唾液採取用容器１０の上部を嵌め込む。このとき保存液収容容器１２の内部の圧壊部材３２は、凸部９０が本体部３０の第１の凹部４４に嵌め込まれて、初期位置に係止される。
【００３１】
そして、保存液収容容器１２をさらに回して唾液採取用容器１０の上部を本体部３０のさらに奥に嵌め込むと、図９に示すように唾液採取用容器１０の上部が隙間Ｃに入り込み、やがて当接部８０に当接する。そして、保存液収容容器１２をさらに回して、唾液採取用容器１０の上部を本体部３０のさらに奥に嵌め込むと、圧壊部材３２が押され、本体部３０に対する係止が解除されて上側に移動する。このとき、唾液採取用容器１０の上部の内周面と当接部８０の外周面とが密着し、その間で気密性が保たれる。これによって、後述する保存液Ａと唾液が混ざる時や混ざった後の容器内の気密性が確保される。
【００３２】
そして図１０に示すように圧壊部材３２の封止部６１が隙間Ｂに入り込み、圧壊部材３２の外周面と本体部３０の内周面との間を封止する。その状態で、圧壊部材３２がさらに上側に進むと、図１１に示すように押圧部６０のピン７０が蓋体３１の圧壊面５２を押して圧壊する。このとき、圧壊面５２は、円状の切欠き５３の部分から圧壊する。また、このとき圧壊部材３２の封止部６１は隙間Ｂの奥まではめ込まれ、例えば蓋体３１のフランジ部４２に当接する。また圧壊部材３２の凸部９０は本体部３０の第２の凸部４５に嵌めこまれ、圧壊部材３２が圧壊位置で係止される。
【００３３】
圧壊面５２が圧壊すると、図１２に示すように保存液収容室４１の流出口４０から保存液Ａが流出し、蓋部３１と圧壊部材３２の通液口６２を通って下方の唾液採取用容器１０内に流入する。これにより、唾液採取用容器１０内の唾液と保存液が混合し、唾液と保存液が気密の唾液採取用容器１０内で保存される。
【００３４】
本実施の形態によれば、唾液保存キット１は、圧壊部材３２が唾液採取用容器１０により押されて蓋体３１側に移動したときに、押圧部６０が蓋体３１を押圧して圧壊する前に封止部６１が蓋体３１の外周面と保存液収容容器１２の内周面との間の隙間Ｂに入り込んで圧壊部材３２の外周面と保存液収容容器１２の内周面との間を封止するように構成されている。これにより、保存液Ａと唾液が混ざる時や混ざった後の容器の気密性が確保されるので、保存液Ａの漏れや揮発が抑制され、唾液を用いた検査を適正に行うことができる。また、検査時に保存液Ａと唾液をミキシングする際にも容器から液体が漏れることを防止できる。
【００３５】
封止部６１が押圧部６０の先端よりも蓋体３１側に突出しているので、押圧部６０が蓋体３１を圧壊する前に確実に封止部６１が隙間Ｂに入り込む。これにより保存液Ａが流出する前に圧壊部材３２の外周面と保存液収容容器１２の内周面との間を確実に封止できる。
【００３６】
押圧部６０が複数のピン７０からなり、通液口６２が蓋体３１側の開口に、蓋体３１側に向けて次第に径が大きくなるテーパ面７１を有し、ピン７０はテーパ面７１に立設されているので、ピン７０を中央に近い位置に配置でき、蓋体３１を適切に圧壊できる。また、ピン７０で蓋体３１を圧壊させつつ、その圧壊して流出した保存液Ａをテーパ面７１を通じて唾液採取用容器１０側に効率的に流すことができる。
【００３７】
保存液収容容器１２の第２の凹部４５と圧壊部材３２の凸部９０により、押圧部６０が蓋体３１を圧壊した位置（圧壊位置）で、圧壊部材３２を保存液収容容器１２に対し係止できるので、圧壊した後の圧壊部材３２の位置ずれを防止できる。この結果、圧壊部材３２の外周面と保存液収容容器１２の内周面との間を確実に封止できる。
【００３８】
保存液収容容器１２の第１の凹部４４と圧壊部材３２の凸部９０により、圧壊部材３２が蓋体３１側に移動する前の位置（初期位置）で、圧壊部材３２を保存液収容容器１２に対し係止できるので、例えば使用前の唾液保存キット１の輸送中に、圧壊部材３２が動いて蓋体３１を圧壊するようなことを防止できる。
【００３９】
蓋体３１は、保存液収容室４１の流出口４０よりも径の大きなフランジ部５０を有し、保存液収容容器１２の内部の段部４２にはめ込まれており、フランジ部５０が、段部４２に対し環状に超音波溶着されているので、蓋体３１と保存液収容容器１２の間の気密性を確保できる。これによって、保存液Ａと唾液が混ざる時や混ざった後の容器の気密性を向上できる。
【００４０】
蓋体３１における押圧部６０が当接する圧壊面５２には、円状の切欠き５３が形成されているので、圧壊面５２の圧壊する位置を誘導できる。かかる場合圧壊面５２が円状に圧壊するので、保存液Ａの流出流路を好適に確保できる。
【００４１】
圧壊部材３２が、唾液採取用容器１０の上端部が当接する当接部８０を有しているので、唾液採取用容器１０の押圧により圧壊部材３２を好適に蓋体３１側に移動させることができる。
【００４２】
圧壊部材３２の下側の外周面と保存液収容容器１２の内周面との間に隙間Ｃが形成されており、当該隙間Ｃの底部に当接部８０が形成されているので、唾液採取用容器１０の上端部が圧壊部材３２を上に押し上げる仕組みになっている。
【００４３】
上記第１の実施の形態において、保存液収容容器１２は、図１３に示すような外周形状を有するものであってもよい。この保存液収容容器１２が外周形状は、略円筒状であり、外周面１２ｂに、外側に突出する突出部１００が設けられている。突出部１００は、例えば外周面１２ｂの上下方向に沿って保存液収容容器２０の下面から上面まで形成されている。突出部１００は、例えば外側に凸の円弧状に形成されている。かかる唾液保存キット１によれば、被検者が保存液収容容器１２を唾液採取用容器１０に対し回す際に、被検者の指が突出部１００にかかりやすくなるので、保存液収容容器１２に唾液採取用容器１０を嵌め込みやすく、また保存液収容容器１２を蓋として唾液採取用容器１０に対し閉めやすくなる。
【００４４】
＜第２の実施の形態＞
以上の形態では、保存液収容容器１２の保存液収容室４１の流出口４０を蓋体３１を用いて封鎖していたが、蓋体３１を設けず、代わりに保存液収容室４１の下面を封鎖底面としてもよい。かかる例を第２の実施の形態として以下に説明する。なお、第１の実施の形態と同様の部材や構成については、同じ符号を用いて説明を省略する。
【００４５】
図１４に示すように保存液収容容器１２は、略円筒状を有し、その外周面１２ｂには、外側に突出する突出部１００が設けられている。図１４及び図１５に示すように保存液収容容器１２の保存液収容室４１は、上面１１０が開口し、下面１１１が封鎖底面となっている。封鎖底面１１１は、例えば１ｍｍ〜２ｍｍ程度の厚みを有するのが好ましい。上面１１０は、蓋１２０により開閉できる。保存液Ａは、蓋１２０が開けられて保存液収容室４１に充填され、その後蓋１２０がウエルダ溶着されて保存液収容室４１に密封されている。封鎖底面１１１には、上記切欠き５３と同様の切欠きが形成されている。
【００４６】
図１５に示すように本体部３０における保存液収容室４１の下側には、封鎖底面１１１を圧壊する圧壊部材３２が設けられている。圧壊部材３２の先端には、環状の封止部６１が形成され、封止部６１は、圧壊部材３２が配置された本体部３０の内周面よりもわずかに内側に形成されている。保存液収容室４１の封鎖底面１１１の外周には、圧壊部材３２の封止部６１が入り込む環状の凹条部１３０が形成されている。
【００４７】
そして、唾液を保存する際には、被検者の唾液を唾液採取用容器１０に採取した後、図１６に示すように保存液収容容器１２内に唾液採取用容器１０を差し込み、保存液収容容器１２を回して唾液採取用容器１０の上部を奥にはめ込み、圧壊部材３２を押して封鎖底面１１１側に移動させる。そして、やがて圧壊部材３２の封止部６１が凸条部１３０に入り込み、圧壊部材３２の外周面と本体部３０の内周面との間が封止される。そして、さらに圧壊部材３２が進むと、図１７に示すように押圧部６０のピン７０が封鎖底面１１１を押して圧壊する。このとき圧壊部材３２の封止部６１が凸条部１３０にきっちりはめ込まれる。封鎖底面１１１が圧壊すると、保存液収容室４１の保存液Ａが流出し、圧壊部材３２の通液口６２を通って下方の唾液採取用容器１０内に流入する。これにより、唾液採取用容器１０内の唾液と保存液が混合し、唾液と保存液が気密の唾液採取用容器１０内で保存される。なお、蓋体３１に代えて封鎖底面１１１を用いた部分以外の動作は、上記第１の実施の形態と同様である。
【００４８】
本実施の形態によれば、唾液保存キット１は、圧壊部材３２が唾液採取用容器１０により押されて封鎖底面１１１側に移動したときに、押圧部６０が封鎖底面１１１を押圧して圧壊する前に封止部６１が凸条部１３０に入り込んで圧壊部材３２の外周面と保存液収容容器１２の内周面との間を封止するように構成されている。これにより、保存液Ａと唾液が混ざる時や混ざった後の容器の気密性が確保されるので、保存液Ａの漏れや揮発が抑制され、唾液を用いた検査を適正に行うことができる。また、検査時に保存液Ａと唾液をミキシングする際にも容器から液体が漏れることを防止できる。
【００４９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５０】
例えば上記実施の形態において蓋体３１、圧壊部材３２の構成はこれに限られない。例えば圧壊部材３２の押圧部６０は、複数のピン７０でなくてもよく、１本のピン７０であってもよく、またピン状のものでなくてもよい。封止部６１は、蓋体３１が圧壊する前に圧壊部材３２の外周面と保存液収容容器１２の間を封止できれば、他の構成を有するものであってもよい。圧壊部材３２の当接部８０の位置や形状もこれに限られない。
【００５１】
通液口６２はテーパ面７１を有していたが、テーパ面がなくてもよい。またピン７０はテーパ面７１上に設けられていなくてもよい。
【００５２】
圧壊部材３２を保存液収容容器１２に対し係止する係止機構は、第１の凹部４４、第２の凹部４５及び凸部９０により構成されていたが、これに限られず、他の構成を有するものであってもよい。
【００５３】
蓋体３１のフランジ部５０が、保存液収容容器１２の段部４２の水平面４２ａに対し環状に超音波溶着されていたが、他の方法で接着されていてもよい。
【００５４】
蓋体３１の圧壊面５２には、一続きの円状の切欠き５３が形成されていたが、切欠き５３は、同一円周上の断続的な複数部分に形成されていてもよい。また、切欠き５３の形状は、円状に限られず他の形状であってもよい。切欠き５３は、圧壊面５２の下面に設けられていてもよく、また上下面の両方に設けられていてもよい。
【００５５】
本実施の形態における唾液保存キットは、ＤＮＡ検査以外の検査にも適用できる。
【産業上の利用可能性】
【００５６】
本発明は、唾液保存キットにおける保存液と唾液が混ざる時や混ざった後の容器の気密性を確保する際に有用である。
【符号の説明】
【００５７】
１  唾液保存キット
１０  唾液採取用容器
１２  保存液収容容器
３０  本体部
３１  蓋体
３２  圧壊部材
６０  押圧部
６１  封止部
６２  通液口
１１１  封鎖底面
Ａ  保存液
Ｂ  隙間
Ｃ  隙間
【図１】
2017194324.tif 000003
【図２】
2017194324.tif 000004
【図３】
2017194324.tif 000005
【図４】
2017194324.tif 000006
【図５】
2017194324.tif 000007
【図６】
2017194324.tif 000008
【図７】
2017194324.tif 000009
【図８】
2017194324.tif 000010
【図９】
2017194324.tif 000011
【図１０】
2017194324.tif 000012
【図１１】
2017194324.tif 000013
【図１２】
2017194324.tif 000014
【図１３】
2017194324.tif 000015
【図１４】
2017194324.tif 000016
【図１５】
2017194324.tif 000017
【図１６】
2017194324.tif 000018
【図１７】
2017194324.tif 000019